(57)【要約】【課題】自動販売機のコスト増やサイズの増大を招くことなく自動販売機を連結することを可能とする。【解決手段】連結部材１０を介して自動販売機親機１に自動販売機子機３を連結するときには、自動販売機親機１の親機後脚部１ｂに連結部材１０の後脚部係合部１１ｂを係合させた後、親機後脚部１ｂを支点として連結部材１０を回動させることにより、自動販売機親機１の親機前脚部１ａに連結部材１０の前脚部係合部１２ａを係合させ、さらに自動販売機子機３の脚部３ａに連結部材１０の脚部係合部１３ａを係合させる。【選択図】図６
2018036990.tif 000002
【特許請求の範囲】
【請求項１】
連結部材を介して複数の自動販売機を連結するものにおいて、
前記連結部材は、一方の自動販売機の前脚部と係合する前脚部係合部と、該一方の自動販売機の後脚部と係合する後脚部係合部と、他方の自動販売機の脚部と係合される脚部係合部とから成り、
前記連結部材を介して複数の自動販売機を連結するときには、前記一方の自動販売機の後脚部に前記連結部材の後脚部係合部を係合させた後、前記一方の自動販売機の後脚部を支点として前記連結部材を回動させることにより、前記一方の自動販売機の前脚部に前記連結部材の前脚部係合部を係合させ、さらに前記他方の自動販売機の脚部に前記連結部材の脚部係合部を係合させることを特徴とする自動販売機。
【請求項２】
連結部材を介して自動販売機親機に自動販売機子機を連結するものにおいて、
前記連結部材は、自動販売機親機の前脚部と係合する前脚部係合部と、該自動販売機親機の後脚部と係合する後脚部係合部と、自動販売機子機の脚部と係合される脚部係合部とから成り、
前記連結部材を介して自動販売機親機に自動販売機子機を連結するときには、前記自動販売機親機の後脚部に前記連結部材の後脚部係合部を係合させた後、前記自動販売機親機の後脚部を支点として前記連結部材を回動させることにより、前記自動販売機親機の前脚部に前記連結部材の前脚部係合部を係合させ、さらに前記自動販売機子機の脚部に前記連結部材の脚部係合部を係合させることを特徴とする自動販売機。
【請求項３】
前記連結部材は、前記前脚部係合部と前記後脚部係合部とを有する連結部材本体と、前記脚部係合部を有して該連結部材本体に着脱可能な脚部係合部材とから成ることを特徴とする請求項１または請求項２に記載の自動販売機。
【請求項４】
前記連結部材本体は、前記前脚部と後脚部間の寸法に合わせて前記前脚部係合部と前記後脚部係合部間の寸法を変更可能とするとともに、前記脚部係合部材の着脱位置を変更可能としていることを特徴とする請求項３に記載の自動販売機。
【請求項５】
前記前脚部係合部は前記前脚部と係合する態様で横開口の切欠部が形成され、前記後脚部係合部は前記後脚部と係合する態様で縦開口の切欠部が形成され、前記脚部係合部は前記脚部と係合する切欠部が形成されていることを特徴とする請求項１または請求項２に記載の自動販売機。
【発明の詳細な説明】
【技術分野】
【０００１】
本発明は、自動販売機に関し、より詳細には、連結部材を介して複数の自動販売機を連結するものに関する。
【背景技術】
【０００２】
連結金具を介して自動販売機親機と自動販売機子機とを連結する従来例を図８に示す。図８（ａ）は、自動販売機親機と自動販売機子機とを連結した状態を示す斜視図、図８（ｂ）は、自動販売機親機と自動販売機子機との連結部拡大断面側面図である。
【０００３】
自動販売機親機１の子機側側面１ａには、連結ネジ１６ａを有する連結金具１６が設けられている。また、自動販売機子機３の親機側側面３ａには、円錐状窪み１７ａの中央部に案内孔１７ｂを有する案内板１７が設けられている。
【０００４】
そして、自動販売機親機１と自動販売機子機３とを連結するには、先ず、自動販売機親機１に設けられている連結金具１６の連結ネジ１６ａを自動販売機子機３に設けられている案内板１７の円錐状窪み１７ａ中央部の案内孔１７ｂに挿入する。このようにして、連結ネジ１６ａを案内孔１７ｂに挿入した後、ナット１８で連結ネジ１６ａを締めることで自動販売機親機１と自動販売機子機３とを連結することができる（例えば、特許文献１参照）。
【０００５】
また、連結部材を介して自動販売機を連結する従来例を図９に示す。図９は、連結部材を介して自動販売機を連結する自動販売機の扉を開放した状態の内部構造を示す斜視図である。
【０００６】
図９に示すように、連結部材７は、自動販売機１と空容器収容ボックス４に跨って設けられる。連結部材７の高さ寸法は自動販売機１の本体キャビネット２と空容器収容ボックス４の本体キャビネット５と略同一の高さ寸法を有している。連結部材７のコ字状の取り付け片７１の左右幅は、自動販売機１の本体キャビネット２における正面右側側壁の前縁に嵌合する大きさ、すなわち、本体キャビネット２の外箱の厚さ寸法およびこの外箱の前面内側に溶接結合された側面補強金具（不図示）の外箱からの高さ寸法、および、空容器収容ボックス４の本体キャビネット５における正面左側側壁の前縁に嵌合する大きさ、すなわち、本体キャビネット５の外箱の厚さ寸法およびこの外箱の前面内側に溶接結合された側面補強金具（不図示）の外箱からの高さ寸法に略一致する幅を有している。
【０００７】
そして、この連結部材７は自動販売機１と空容器収容ボックス４との間に跨って取付けられる。すなわち、連結部材７の取り付け片７１の一方が、本体キャビネット２の右側側壁の前縁（側面補強金具と本体キャビネット２の外箱）に、取り付け片７１の他方が、本体キャビネット５の左側側壁の前縁（側面補強金具と本体キャビネット５の外箱）に被せる態様で自動販売機１と空容器収容ボックス４との間に跨るように敷設する。
【０００８】
そして、連結部材７は、自動販売機１と空容器収容ボックス４それぞれの本体キャビネット２、５の前面内側に溶接結合された側面補強金具に複数のネジにより固定される（例えば、特許文献２参照）。
【先行技術文献】
【特許文献】
【０００９】
【特許文献１】特開平１０−５２３２８号公報
【特許文献２】特開２０１２−６９０５２号公報
【発明の概要】
【発明が解決しようとする課題】
【００１０】
このように、自動販売機親機と自動販売機子機などの複数の自動販売機、または、自動販売機と空容器収容ボックスなどとを連結する場合、予め、連結金具や案内板、側面補強金具などを設けておき、連結ネジをナットで締め付けて固定連結する。また、自動販売機と空容器収容ボックスとに側面補強金具を設けておき、それぞれの側面補強金具に跨るように連結部材を敷設し、連結部材を複数のネジにより側面補強金具に固定する必要がある。
【００１１】
しかしながら、このような連結金具や案内板、側面補強金具などの連結用金具を自動販売機に予め設けておくことは、自動販売機のコスト増を招く要因、また、自動販売機のサイズの増大を招く要因となり、さらには、予め、これらの連結用金具が設けられていない自動販売機を連結することは困難であるなどの課題があった。
【００１２】
本発明は、以上のような課題を解決するためになされたものであり、自動販売機のコスト増やサイズの増大を招くことなく連結用金具が予め設けられていない自動販売機を連結することを可能とした自動販売機を提供することを目的とする。
【課題を解決するための手段】
【００１３】
上記の目的を達成するために、本発明の請求項１に係る自動販売機は、連結部材を介して複数の自動販売機を連結するものにおいて、
前記連結部材は、一方の自動販売機の前脚部と係合する前脚部係合部と、該一方の自動販売機の後脚部と係合する後脚部係合部と、他方の自動販売機の脚部と係合される脚部係合部とから成り、
前記連結部材を介して複数の自動販売機を連結するときには、前記一方の自動販売機の後脚部に前記連結部材の後脚部係合部を係合させた後、前記一方の自動販売機の後脚部を支点として前記連結部材を回動させることにより、前記一方の自動販売機の前脚部に前記連結部材の前脚部係合部を係合させ、さらに前記他方の自動販売機の脚部に前記連結部材の脚部係合部を係合させることを特徴とする。
【００１４】
また、本発明の請求項２に係る自動販売機は、連結部材を介して自動販売機親機に自動販売機子機を連結するものにおいて、
前記連結部材は、自動販売機親機の前脚部と係合する前脚部係合部と、該自動販売機親機の後脚部と係合する後脚部係合部と、自動販売機子機の脚部と係合される脚部係合部とから成り、
前記連結部材を介して自動販売機親機に自動販売機子機を連結するときには、前記自動販売機親機の後脚部に前記連結部材の後脚部係合部を係合させた後、前記自動販売機親機の後脚部を支点として前記連結部材を回動させることにより、前記自動販売機親機の前脚部に前記連結部材の前脚部係合部を係合させ、さらに前記自動販売機子機の脚部に前記連結部材の脚部係合部を係合させることを特徴とする。
【００１５】
また、本発明の請求項３に係る自動販売機は、上述した請求項１または請求項２において、前記連結部材は、前記前脚部係合部と前記後脚部係合部とを有する連結部材本体と、前記脚部係合部を有して該連結部材本体に着脱可能な脚部係合部材とから成ることを特徴とする。
【００１６】
また、本発明の請求項４に係る自動販売機は、上述した請求項３において、前記連結部材本体は、前記前脚部と後脚部間の寸法に合わせて前記前脚部係合部と前記後脚部係合部間の寸法を変更可能とするとともに、前記脚部係合部材の着脱位置を変更可能としていることを特徴とする。
【００１７】
また、本発明の請求項５に係る自動販売機は、上述した請求項１または請求項２において、前記前脚部係合部は前記前脚部と係合する態様で横開口の切欠部が形成され、前記後脚部係合部は前記後脚部と係合する態様で縦開口の切欠部が形成され、前記脚部係合部は前記脚部と係合する切欠部が形成されていることを特徴とする。
【発明の効果】
【００１８】
請求項１の発明によれば、連結部材を介して複数の自動販売機を連結するものにおいて、前記連結部材は、一方の自動販売機の前脚部と係合する前脚部係合部と、該一方の自動販売機の後脚部と係合する後脚部係合部と、他方の自動販売機の脚部と係合される脚部係合部とから成り、前記連結部材を介して複数の自動販売機を連結するときには、前記一方の自動販売機の後脚部に前記連結部材の後脚部係合部を係合させた後、前記一方の自動販売機の後脚部を支点として前記連結部材を回動させることにより、前記一方の自動販売機の前脚部に前記連結部材の前脚部係合部を係合させ、さらに前記他方の自動販売機の脚部に前記連結部材の脚部係合部を係合させることにより、連結したそれぞれの自動販売機の位置決めと位置ずれを防止することができ、自動販売機のコスト増やサイズの増大を招くことなく連結用金具が予め設けられていない自動販売機を連結することを可能とした自動販売機を提供することが可能となる。
【００１９】
また、請求項２の発明によれば、連結部材を介して自動販売機親機に自動販売機子機を連結するものにおいて、前記連結部材は、自動販売機親機の前脚部と係合する前脚部係合部と、該自動販売機親機の後脚部と係合する後脚部係合部と、自動販売機子機の脚部と係合される脚部係合部とから成り、前記連結部材を介して自動販売機親機に自動販売機子機を連結するときには、前記自動販売機親機の後脚部に前記連結部材の後脚部係合部を係合させた後、前記自動販売機親機の後脚部を支点として前記連結部材を回動させることにより、前記自動販売機親機の前脚部に前記連結部材の前脚部係合部を係合させ、さらに前記自動販売機子機の脚部に前記連結部材の脚部係合部を係合させることにより、連結したそれぞれの自動販売機の位置決めと位置ずれを防止することができ、自動販売機のコスト増やサイズの増大を招くことなく連結用金具が予め設けられていない自動販売機を連結することを可能とした自動販売機を提供することが可能となる。
【００２０】
また、請求項３の発明によれば、前記連結部材は、前記前脚部係合部と前記後脚部係合部とを有する連結部材本体と、前記脚部係合部を有して該連結部材本体に着脱可能な脚部係合部材とから成ることにより、連結したそれぞれの自動販売機の位置決めと位置ずれを防止することができ、自動販売機のコスト増やサイズの増大を招くことなく連結用金具が予め設けられていない自動販売機を連結することを可能とした自動販売機を提供することが可能となる。
【００２１】
また、請求項４の発明によれば、前記連結部材本体は、前記前脚部と後脚部間の寸法に合わせて前記前脚部係合部と前記後脚部係合部間の寸法を変更可能とするとともに、前記脚部係合部材の着脱位置を変更可能としていることにより、多種多様なサイズの自動販売機を連結することが可能となる。
【００２２】
また、請求項５の発明によれば、前記前脚部係合部は前記前脚部と係合する態様で横開口の切欠部が形成され、前記後脚部係合部は前記後脚部と係合する態様で縦開口の切欠部が形成され、前記脚部係合部は前記脚部と係合する切欠部が形成されていることにより、連結したそれぞれの自動販売機の位置決めと位置ずれを防止することができ、自動販売機のコスト増やサイズの増大を招くことなく連結用金具が予め設けられていない自動販売機を連結することを可能とした自動販売機を提供することが可能となる。
【図面の簡単な説明】
【００２３】
【図１】本発明の実施の形態に係る連結部材を介して自動販売機を連結した状態を示し、（ａ）はその上面図、（ｂ）はその正面図である。
【図２】図１に示した連結部材を介して自動販売機を連結した状態を示し、（ａ）はその上面斜視図、（ｂ）はその底面斜視図である。
【図３】図１に示した連結部材を介して自動販売機を連結した連結部の拡大正面図である。
【図４】（ａ）は図１に示した連結部材を介して自動販売機を連結した状態を示す底面図、（ｂ）は連結前の自動販売機の状態を示す底面図である。
【図５】図１に示した連結部材を示し、（ａ）は固定位置調整式（スライド方式）の連結部材本体と脚部係合部材を組み合わせた状態を示す斜視図、（ｂ）は連結部材本体と脚部係合部材を組み合わせた状態を示す斜視図、（ｃ）は連結部材本体を示す斜視図、（ｄ）は固定位置調整式（スライド方式）の連結部材本体を示す斜視図、（ｅ）は脚部係合部材を示す斜視図であり、（ｆ）は固定位置調整式（スライド方式）の連結部材本体と脚部係合部材を組み合わせた状態を示す上面図、（ｇ）は連結部材本体と脚部係合部材を組み合わせた状態を示す上面図、（ｈ）は連結部材本体を示す上面図、（ｉ）は固定位置調整式（スライド方式）の連結部材本体を示す上面図、（ｊ）は脚部係合部材を示す上面図である。
【図６】連結部材を介して自動販売機を連結する順序を示す底面図である。
【図７】連結部材本体を自動販売機に取り付けた後、脚部係合部材を連結部材本体に取り付け、連結部材を介して自動販売機を連結する順序を示す底面図である。
【図８】従来の連結金具を介して自動販売機親機と自動販売機子機とを連結した状態を示し、（ａ）はその斜視図、（ｂ）はその連結部拡大断面側面図である。
【図９】従来の連結部材を介して自動販売機を連結する状態を示す斜視図である。
【発明を実施するための形態】
【００２４】
以下、図面を参照しながら、本発明に係る連結部材を介して自動販売機を連結する好適な実施の形態について詳細に説明する。なお、この実施の形態によりこの発明が限定されるものではない。
【００２５】
図１は、本発明の実施の形態に係る連結部材を介して自動販売機を連結した状態を示し、（ａ）はその上面図、（ｂ）はその正面図である。図２は、図１に示した連結部材を介して自動販売機を連結した状態を示し、（ａ）はその上面斜視図、（ｂ）はその底面斜視図であり、図３は、図１に示した連結部材を介して自動販売機を連結した連結部の拡大正面図である。また、図４（ａ）は図１に示した連結部材を介して自動販売機を連結した状態を示す底面図、図４（ｂ）は連結前の自動販売機の状態を示す底面図である。
【００２６】
さらに、図５は、本発明の実施の形態に係る連結部材を示し、（ａ）は固定位置調整式（スライド方式）の連結部材本体と脚部係合部材を組み合わせた状態を示す斜視図、（ｂ）は連結部材本体と脚部係合部材を組み合わせた状態を示す斜視図、（ｃ）は連結部材本体を示す斜視図、（ｄ）は固定位置調整式（スライド方式）の連結部材本体を示す斜視図、（ｅ）は脚部係合部材を示す斜視図であり、（ｆ）は固定位置調整式（スライド方式）の連結部材本体と脚部係合部材を組み合わせた状態を示す上面図、（ｇ）は連結部材本体と脚部係合部材を組み合わせた状態を示す上面図、（ｈ）は連結部材本体を示す上面図、（ｉ）は固定位置調整式（スライド方式）の連結部材本体を示す上面図、（ｊ）は脚部係合部材を示す上面図である。かかる図１から図５を適宜利用して本発明の実施の形態に係る自動販売機を連結する連結部材の構成について詳細に説明する。
【００２７】
図において、連結部材本体１１の一端には自動販売機親機（一方の自動販売機）１の親機前脚部（前脚部：レベリングボルト）１ａと係合する態様で前脚部係合部（横開口の切欠部）１１ａが形成されている。また、連結部材本体１１の他端には自動販売機親機（一方の自動販売機）１の親機後脚部（後脚部：レベリングボルト）１ｂと係合する態様で後脚部係合部（縦開口の切欠部）１１ｂが形成されている。さらに、前脚部係合部（横開口の切欠部）１１ａと後脚部係合部（縦開口の切欠部）１１ｂとの間には自動販売機子機（他方の自動販売機）３の子機脚部（脚部：レベリングボルト）３ａと係合する切欠部（脚部係合部）１３ａを有する脚部係合部材１３を取り付ける脚部係合部材取付け部１１ｃが設けられている（図５（ｃ）、（ｈ）参照）。
【００２８】
連結部材本体１２は連結部材本体１１と組み合わされることで固定位置調整式（スライド方式）の連結部材本体となる構造を有し、その一端には自動販売機親機（一方の自動販売機）１の親機前脚部（前脚部：レベリングボルト）１ａと係合する態様で前脚部係合部（横開口の切欠部）１２ａが形成されている。また、前脚部係合部（横開口の切欠部）１２ａと、自動販売機子機（他方の自動販売機）３の子機脚部（脚部：レベリングボルト）３ａと係合する切欠部（脚部係合部）１３ａを有する脚部係合部材１３を取り付ける脚部係合部材取付け部１２ｂが設けられ、脚部係合部材１３の取り付け位置（着脱位置）は固定位置調整を可能としている（図５（ｄ）、（ｉ）参照）。
【００２９】
脚部係合部材１３は自動販売機子機（他方の自動販売機）３の子機脚部（脚部：レベリングボルト）３ａと係合する切欠部（脚部係合部）１３ａが形成されている。また、脚部係合部材１３を連結部材本体１１の脚部係合部材取付け部１１ｃ、または、連結部材本体１２の脚部係合部材取付け部１２ｂに対する取り付け構造（例えば、ネジによる）を有している（図５（ｅ）、（ｊ）参照）。
【００３０】
そして、連結部材本体１２に連結部材本体１１および脚部係合部材１３を取り付けることで多種多様なサイズの自動販売機に対応する固定位置調整式（スライド方式）の連結部材１０とすることができる（図５（ａ）、（ｆ）参照）。また、連結部材本体１１に脚部係合部材１３を取り付けることで小型自動販売機に対応する連結部材２０を構成することができる（図５（ｂ）、（ｇ）参照）。
【００３１】
次に図６を参照しながら、連結部材１０を介して自動販売機親機（一方の自動販売機）１に自動販売機子機（他方の自動販売機）３を連結する実施の形態を詳細に説明する。
【００３２】
先ず、自動販売機親機１を所定位置に設置し、連結部材本体１１および脚部係合部材１３を連結部材本体１２に取り付けた固定位置調整式（スライド方式）の連結部材１０を準備する（図６（ａ）参照）。次に、連結部材１０の前脚部係合部（横開口の切欠部）１２ａを親機前脚部１ａ側の内側に潜らせる態様で自動販売機親機１の底面下に挿入する（図６（ｂ）参照）。そして、自動販売機親機１の親機後脚部（後脚部）１ｂに後脚部係合部（縦開口の切欠部）１１ｂを係合（図６（ｃ）参照）させた後、自動販売機親機１の親機後脚部（後脚部）１ｂを支点として連結部材１０を時計回り方向に回動させることにより、自動販売機親機１の親機前脚部（前脚部）１ａに前脚部係合部（横開口の切欠部）１２ａを係合させる（図６（ｄ）参照）。この後、自動販売機子機３の子機脚部（脚部）３ａが脚部係合部材１３の切欠部（脚部係合部）１３ａに係合するように自動販売機子機３を設置することで連結部材１０を介して自動販売機親機１に自動販売機子機３を連結させて位置決めすることができる（図１、２、３、４、６（ｅ）参照）。
【００３３】
このように、連結部材１０を介して自動販売機親機１に自動販売機子機３を連結することで、連結したそれぞれの自動販売機の位置決めと位置ずれを防止することができ、自動販売機のコスト増やサイズの増大を招くことなく連結用金具が予め設けられていない自動販売機を連結することを可能とした自動販売機を提供することができる。
【００３４】
また、図７を参照しながら、連結部材１０を介して自動販売機親機（一方の自動販売機）１に自動販売機子機（他方の自動販売機）３を連結する作業を自動販売機子機３の背面側から行う実施の形態を詳細に説明する。
【００３５】
先ず、自動販売機親機１と自動販売機子機３とを所定位置に設置し、連結部材本体１１を連結部材本体１２に取り付けた状態で準備する（図７（ａ）参照）。次に、前脚部係合部（横開口の切欠部）１２ａを親機前脚部（前脚部）１ａ側の内側に潜らせる態様で自動販売機親機１の底面下に挿入する（図７（ｂ）参照）。そして、自動販売機親機１の親機後脚部（後脚部）１ｂに後脚部係合部（縦開口の切欠部）１１ｂを係合（図７（ｃ）参照）させた後、自動販売機親機１の親機後脚部（後脚部）１ｂを支点として連結部材本体１１および連結部材本体１２（連結部材１０）を時計回り方向に回動させることにより、自動販売機親機１の親機前脚部（前脚部）１ａに前脚部係合部（横開口の切欠部）１２ａを係合させ（図７（ｄ）参照）、さらに自動販売機子機３の子機脚部（脚部）３ａに脚部係合部材１３の切欠部（脚部係合部）１３ａを係合させて連結部材本体１２の脚部係合部材取付け部１２ｂに脚部係合部材１３を取り付けることで連結部材１０を介して自動販売機親機１に自動販売機子機３を連結することができる（図１、２、３、４、７（ｅ）参照）。
【００３６】
このように、連結部材１０を介して自動販売機親機１に自動販売機子機３を連結することで、連結したそれぞれの自動販売機の位置決めと位置ずれを防止することができ、自動販売機のコスト増やサイズの増大を招くことなく連結用金具が予め設けられていない自動販売機を連結することを可能とした自動販売機を提供することができる。  以上説明したように本発明によれば、連結部材１０を介して複数の自動販売機を連結するものにおいて、連結部材１０は、一方の自動販売機１の前脚部１ａと係合する前脚部係合部１１ａ、１２ａと、一方の自動販売機１の後脚部１ｂと係合する後脚部係合部１１ｂと、他方の自動販売機３の脚部３ａと係合される脚部係合部１３ａとから成り、連結部材１０を介して複数の自動販売機を連結するときには、一方の自動販売機１の後脚部１ｂに連結部材１０の後脚部係合部１１ｂを係合させた後、一方の自動販売機１の後脚部１ｂを支点として連結部材１０を時計回り方向に回動させることにより、一方の自動販売機１の前脚部１ａに連結部材１０の前脚部係合部１１ａ、１２ａの何れかを係合させ、さらに他方の自動販売機３の脚部３ａに連結部材１０の脚部係合部１３ａを係合させることにより、連結したそれぞれの自動販売機の位置決めと位置ずれを防止することができ、自動販売機のコスト増やサイズの増大を招くことなく連結用金具が予め設けられていない自動販売機を連結することを可能とした自動販売機を提供することが可能となる。
【００３７】
また、連結部材１０を介して自動販売機親機１に自動販売機子機３を連結するものにおいて、連結部材１０は、自動販売機親機１の親機前脚部１ａと係合する前脚部係合部１１ａ、１２ａと、自動販売機親機１の親機後脚部１ｂと係合する後脚部係合部１１ｂと、自動販売機子機３の脚部３ａと係合される脚部係合部１３ａとから成り、連結部材１０を介して自動販売機親機１に自動販売機子機３を連結するときには、自動販売機親機１の親機後脚部１ｂに連結部材１０の後脚部係合部１１ｂを係合させた後、自動販売機親機１の親機後脚部１ｂを支点として連結部材１０を時計回り方向に回動させることにより、自動販売機親機１の親機前脚部１ａに連結部材１０の前脚部係合部１１ａ、１２ａの何れかを係合させ、さらに自動販売機子機３の脚部３ａに連結部材１０の脚部係合部１３ａを係合させることにより、連結したそれぞれの自動販売機の位置決めと位置ずれを防止することができ、自動販売機のコスト増やサイズの増大を招くことなく連結用金具が予め設けられていない自動販売機を連結することを可能とした自動販売機を提供することが可能となる。
【００３８】
また、連結部材１０は、前脚部係合部１１ａ、１２ａと後脚部係合部１１ｂとを有する連結部材本体１１、連結部材本体１２と、脚部係合部１３ａを有して連結部材本体１１、連結部材本体１２に着脱可能な脚部係合部材１３とから成ることにより、連結したそれぞれの自動販売機の位置決めと位置ずれを防止することができ、自動販売機のコスト増やサイズの増大を招くことなく連結用金具が予め設けられていない自動販売機を連結することを可能とした自動販売機を提供することが可能となる。
【００３９】
また、連結部材本体１１、連結部材本体１２は、前脚部１ａと後脚部１ｂ間の寸法に合わせて前脚部係合部１２ａと後脚部係合部１１ｂ間の寸法を変更可能とするとともに、脚部係合部材１３の着脱位置を変更可能とし、固定位置調整式（スライド方式）の連結部材１０としていることにより、多種多様なサイズの自動販売機を連結することが可能となる。
【００４０】
また、前脚部係合部１１ａ、１２ａは前脚部１ａと係合する態様で横開口の切欠部が形成され、後脚部係合部１１ｂは後脚部１ｂと係合する態様で縦開口の切欠部が形成され、脚部係合部１３ａは脚部３ａと係合する切欠部が形成されていることにより、連結したそれぞれの自動販売機の位置決めと位置ずれを防止することができ、自動販売機のコスト増やサイズの増大を招くことなく連結用金具が予め設けられていない自動販売機を連結することを可能とした自動販売機を提供することが可能となる。
【産業上の利用可能性】
【００４１】
以上のように、本発明に係る自動販売機は、自動販売機のコスト増やサイズの増大を招くことなく連結用金具が予め設けられていない自動販売機を連結することに有用である。
【符号の説明】
【００４２】
１      自動販売機親機（一方の自動販売機）
１ａ      親機前脚部（前脚部）
１ｂ      親機後脚部（後脚部）
３      自動販売機子機（他方の自動販売機）
１０      連結部材
１１      連結部材本体
１１ａ      前脚部係合部
１１ｂ      後脚部係合部
１２      連結部材本体
１２ａ      前脚部係合部
１３      脚部係合部材
１３ａ      脚部係合部
【図１】
2018036990.tif 000003
【図２】
2018036990.tif 000004
【図３】
2018036990.tif 000005
【図４】
2018036990.tif 000006
【図５】
2018036990.tif 000007
【図６】
2018036990.tif 000008
【図７】
2018036990.tif 000009
【図８】
2018036990.tif 000010
【図９】
2018036990.tif 000011